(57)【特許請求の範囲】
【請求項１】
カメラヘッドとＶＴＲとで構成され、前記カメラヘッドの筐体と前記ＶＴＲの筐体が結合することでコネクタ同士が嵌合しインタフェースが為されるドッカブルタイプのビデオカメラの放熱構造であって、
前記カメラヘッドの筐体の結合部と前記ＶＴＲの筐体の結合部の何れか一方のインタフェース部の結合部の形状を凸形状とし、他方のインタフェース部の結合部の形状を平面形状とすることで、前記カメラヘッドの筐体と前記ＶＴＲの筐体を結合した際にインタフェース部周囲に空間を形成し、ビデオカメラ内部で発生した熱を該空間に排出するとともに、該空間に排出された排気を該空間に隣接したビデオカメラ筐体の側面に設けた排気孔からカメラ外部に排出することを特徴とするビデオカメラの放熱構造。
【発明の詳細な説明】
【技術分野】
【０００１】
本発明は、カメラヘッドを有し、そのカメラヘッドにビデオ・テープ・レコーダ（ＶＴＲ）、若しくは、映像信号ケーブルからの映像信号や連絡信号、各種制御信号などの送出のための送受信アタッチメントを交換可能に接続することができるドッカブルタイプのビデオカメラに関し、特に、カメラヘッド内部の放熱構造に関するものである。
【背景技術】
【０００２】
従来の技術によるビデオカメラでは、カメラヘッドに対して複数種類のＶＴＲと送受信アタッチメントとを接続可能としている。そのため、送受信アタッチメントの接続部の形状や信号コネクタの信号配置等のインタフェース仕様としては、ある一種類のＶＴＲ、例えば、よくカメラヘッドと接続されて用いられることが多いＶＴＲに応じたインタフェース規格に合わせた仕様とされる。こうすることで、カメラヘッドにおける、ＶＴＲや送受信アタッチメントとの接続部分としては、各種ＶＴＲの中の１種とインタフェースの互換を取れる様になり、その互換のとれたＶＴＲについては、カメラヘッドとの直接的なドッカブル接続が可能であった。
【０００３】
そこで、従来のドッカブルタイプのビデオカメラについて図４、図５、図６を用いて説明する。
図４は従来のドッカブルタイプのビデオカメラの接続前の外観を示す斜視図、図５は従来のドッカブルタイプのビデオカメラを側面方向から見た外観及び内部の構成を示す図、図６は図５におけるＣ−Ｃ線に沿う断面図である。
従来のドッカブルタイプのビデオカメラ１０１は、カメラヘッド１０２とＶＴＲ１２０とで構成され、雨天時に屋外で使用する際、雨水等が内部に侵入しないようそれぞれが防水構造となっている。
また、カメラヘッド１０２の内部には、ＣＣＤブロック１０３や複数のプリント回路基板１０４が配置され、プリント回路基板１０４の上方には、トップフレーム１０６の凹部に、ＣＣＤブロック１０３から発生する熱や複数のプリント回路基板１０４に実装された発熱部品から発生する熱をカメラヘッド１０２の外部に排出するためのファン１０５が取り付けられている。更に、ファン１０５の取り付け部からの雨水の侵入を防止するため、ファン１０５を取り付けたトップフレーム１０６の凹部を覆うように、トップカバー１０９が取り付けられている。
また、カメラヘッド１０２後方のリアフレーム１０７とＶＴＲ１２０のフロントフレーム１２２には、それぞれインターフェース用のコネクタ１１１とコネクタ１２１が取り付けられている。
【０００４】
また、カメラヘッド１０２とＶＴＲ１２０とを結合すると、図５に示すように、カメラヘッド１０２のコネクタ１１１とＶＴＲ１２０のコネクタ１２１とが嵌合するとともに、カメラヘッド１０２のリアフレーム１０７とＶＴＲ１２０のフロントフレーム１２２とが隙間なく接する構造となっている。また、図には示していないが、固定ネジ等の締結手段によって固定がなされる。（特許文献１参照）
このため、本ドッカブル構造におけるカメラヘッド１０２内部で発生した熱の外部への放出方法は、図５の白抜きの矢印２００で示すように、ＣＣＤブロック１０３から発生した熱やプリント回路基板１０４に実装された発熱部品から発生した熱をファン１０５下側のトップフレーム１０６に設けた排気孔（図示せず）を介してファン１０５でカメラヘッド１０２の外部に排出し、更に、図６の白抜きの矢印２００で示すように、トップカバー１０９の側面方向に設けた排気孔１１０から空中に排出するようにしていた。
【０００５】
【特許文献１】特開２０００−０７８４４６号公報
【発明の開示】
【発明が解決しようとする課題】
【０００６】
前述の従来技術においては、雨天時屋外で使用中、ビデオカメラ１０１を傾けた場合などに、トップカバー１０９の側面の排気孔１１０からカメラヘッド１０２の内部に雨水等が浸入するおそれがあった。また、ファン１０５の位置とトップカバー１０９の排気孔１１０との距離が短いために、高い温度の排気によって排気孔１１０付近のトップフレーム１０６の温度が高くなるという問題や、ファン１０５の騒音もビデオカメラ１０１の外部に漏れやすいという問題があった。
【０００７】
本発明は、このような従来の事情に鑑みなされたものであり、カメラヘッドとＶＴＲとが結合する部分に空間を設け、カメラ内部で発生する熱を該空間からカメラ外部に高効率に排出することを可能とするビデオカメラの放熱構造を提供することを目的とする。
【課題を解決するための手段】
【０００８】
上述した課題を解決し、目的を達成するため、本発明の請求項１に係るビデオカメラの放熱構造は、カメラヘッドとＶＴＲとで構成され、前記カメラヘッドの筐体と前記ＶＴＲの筐体が結合することでコネクタ同士が嵌合しインタフェースが為されるドッカブルタイプのビデオカメラの放熱構造であって、前記カメラヘッドの筐体の結合部と前記ＶＴＲの筐体の結合部の何れか一方のインタフェース部の結合部の形状を凸形状とし、他方のインタフェース部の結合部の形状を平面形状とすることで、前記カメラヘッドの筐体と前記ＶＴＲの筐体を結合した際にインタフェース部周囲に空間を形成し、ビデオカメラ内部で発生した熱を該空間に排出するとともに、該空間に排出された排気を該空間に隣接したビデオカメラ筐体の側面に設けた排気孔からカメラ外部に排出することを特徴とする。
【発明の効果】
【０００９】
本発明によれば、カメラヘッドとＶＴＲとが結合する部分に空間を設け、カメラ内部で発生する熱を該空間からカメラ外部に高効率に排出することができ、防滴性の向上、排熱温度の低下、ファン騒音の低減を図ることができるという効果がある。  
【発明を実施するための最良の形態】
【００１０】
以下に、本発明の実施の形態を、図面を参照して詳述する。
図１は本発明の実施の形態に係るドッカブルタイプのビデオカメラを側面方向から見た外観及び内部の構成を示す図、図２は図１におけるＡ−Ａ線に沿う断面図、図３は図１におけるＢ−Ｂ線に沿う断面図である。
図１に示すように、本発明のドッカブルタイプのビデオカメラ１は、カメラヘッド２とＶＴＲ２０とで構成され、雨天時に屋外で使用する際、雨水等が内部に侵入しないようそれぞれが防水構造となっている。
また、カメラヘッド２の内部には、ＣＣＤブロック３や複数のプリント回路基板４が配置され、プリント回路基板４の上方には、ＣＣＤブロック３から発生する熱や複数のプリント回路基板４に実装された発熱部品から発生する熱をカメラヘッド２の外部に排出するためのファン５が垂直、または斜めに取り付けられている。
更に、カメラヘッド２のリアフレーム６のファン５と相対する面には、ファン５が吸い込んだ暖かい空気を外部に排出するための通気孔７が設けられている。
また、ＶＴＲ２０内部のフロントフレーム２１は、コネクタ２２が取り付けられている箇所が凸形状となっており、カメラヘッド２とＶＴＲ２０とを結合した際、カメラヘッド２のリアフレーム６との間に空間３０が形成される構造となっている。
更に、図２に示すように、カメラヘッド２のサイドカバー１０には、排気孔１１が設けられている。
【００１１】
また、カメラヘッド２とＶＴＲ２０とを結合すると、図１及び図３に示すように、カメラヘッド２のコネクタ９とＶＴＲ２０のコネクタ２２とが嵌合し、カメラヘッド２のリアフレーム６とＶＴＲ２０のフロントフレーム２１とのインタフェース部分は接することになるが、その周囲には空間３０が形成される。また、図には示していないが、固定ネジ等の締結手段によって固定がなされる。
そこで、本発明の実施形態によるドッカブル構造でのカメラヘッド２内部で発生した熱の外部への放出方法は、図１の白抜きの矢印３１で示すように、ＣＣＤブロック３から発生した熱やプリント回路基板４に実装された発熱部品から発生した熱をファン５でリアフレーム６の通気孔７を介して空間３０に排出し、更に、図２の白抜きの矢印３１で示すように、サイドカバー１０に設けた排気孔１１を通ってビデオカメラ１の外部に排出される。
【００１２】
つまり、ドッカブルタイプのビデオカメラ１においては、カメラヘッド２のＣＣＤブロック３や内部での発熱をファン５を用いて強制対流にて放熱する時、カメラヘッド２とＶＴＲ２０がドッカブル結合する時にリアフレーム６とインタフェース部が凸形状のフロントフレーム２１とを組み合わせることにより空間３０がインタフェース部周囲に形成される。この時、プリント回路基板４の上方に縦または、斜めに配置されたファン５により内部発熱をインタフェース部上方へ移動させ、リアフレーム６上方の通気孔７より前述の空間３０に排熱を行う。更に、この空間より、図２のＡ−Ａ線に沿う断面図に示すように、サイドカバー１０の排気孔１１より外部へ排熱される。
防滴に関しては、トップフレーム８が傘となるように排気孔１１を設けることで防滴構造となる。また、従来例と比較して放熱経路が長く取れる構造を取ることにより、排熱温度の低下、ファン騒音の低減を図ることが可能となる。
【図面の簡単な説明】
【００１３】
【図１】本発明の実施の形態に係るドッカブルタイプのビデオカメラを側面方向から見た外観及び内部の構成を示す図である。
【図２】図１におけるＡ−Ａ線に沿う断面図である。
【図３】図１におけるＢ−Ｂ線に沿う断面図である。
【図４】従来のドッカブルタイプのビデオカメラの接続前の外観を示す斜視図である。
【図５】従来のドッカブルタイプのビデオカメラを側面方向から見た外観及び内部の構成を示す図である。
【図６】図５におけるＣ−Ｃ線に沿う断面図である。
【符号の説明】
【００１４】
１：ビデオカメラ、２：カメラヘッド、３：ＣＣＤブロック、４：プリント回路基板、５：ファン、６：リアフレーム、７：通気孔、８：トップフレーム、９：コネクタ、１０：サイドカバー、１１：排気孔、２０：ＶＴＲ、２１：フロントフレーム、２２：コネクタ、３０：空間、３１：排熱時の空気の流れ、１０１：ビデオカメラ、１０２：カメラヘッド、１０３：ＣＣＤブロック、１０４：プリント回路基板、１０５：ファン、１０６：トップフレーム、１０７：リアフレーム、１０８：サイドカバー、１０９：トップカバー、１１０：排気孔、１１１：コネクタ、１２０：ＶＴＲ、１２１：コネクタ、１２２：フロントフレーム、２００：排熱時の空気の流れ。
【図１】
0004854635.tif 000002
【図２】
0004854635.tif 000003
【図３】
0004854635.tif 000004
【図４】
0004854635.tif 000005
【図５】
0004854635.tif 000006
【図６】
0004854635.tif 000007